(57)【要約】【課題】扉を形成する扉面材の一辺に少なくとも一端部分を残して配設した新規な意匠の長尺の化粧パネルを、簡単な構成と少ない部品数で位置ずれすることなく確実に組み立て作業をおこなうことができ、断熱材の発泡充填に際しても漏洩を防止して充分な断熱性能を確保できる冷蔵庫扉を提供する。【解決手段】扉本体を形成し一側辺に手掛け用凹部１６ｂおよびパネルベース取付用の切欠き部１１ａを形成した扉面材１１と、この扉面材の切欠き部に嵌合配置したパネルベース１６と、パネルベースの端部に係合し扉面材の切欠き端縁に嵌合することでパネルベースを扉面材側へ押圧し隙間をシールするベースキャップ１７、１８と、パネルベースとの間に手掛け凹部や表示および制御部品の収納空間１６ｄを形成して配設した操作パネル７とからなり、庫内側と扉面材およびパネルベース、ベースキャップとの間に発泡断熱材を充填したことを特徴とする。【選択図】　図２
2004116788.tif 000002
【特許請求の範囲】
【請求項１】
扉本体を形成し一側辺に手掛け用凹部およびパネルベース取付用の切欠き部を形成した扉面材と、この扉面材の切欠き部に嵌合配置したパネルベースと、パネルベースの端部に係合し扉面材の切欠き部端縁に嵌合することでパネルベースを扉面材側へ押圧し隙間をシールするベースキャップと、パネルベースとの間に手掛け凹部や表示および制御部品の収納空間を形成して配設した操作パネルとからなり、庫内側と扉面材およびパネルベース、ベースキャップとの間に発泡断熱材を充填したことを特徴とする冷蔵庫扉。
【請求項２】
扉本体を形成し一方の対向辺の端面を前面から後方に折曲して側壁面を形成し他方の対向端面にはキャップを配設した扉面材と、この扉面材における前記一方の対向辺の後方への折曲側壁面を形成する一辺に設けた手掛け用凹部および切欠き部に嵌合配置したパネルベースと、パネルベースの長手方向の端部に係合し扉面材の切欠き部端縁に嵌合することでパネルベースを扉面材側へ押圧し隙間をシールするベースキャップと、パネルベースとの間に断熱材を充填させる空間を設けて扉面材に隣接して配設した化粧パネルとからなり、庫内側と扉面材およびパネルベース、ベースキャップとの間に発泡断熱材を充填したことを特徴とする冷蔵庫扉。
【請求項３】
パネルベースの前面に連なる側壁部に断熱材方向への突状リブを設け、ベースキャップにそのリブが挿通するスリットを設けて、パネルベースに対するベースキャップの位置決めをおこなったことを特徴とする請求項１または２記載の冷蔵庫扉。
【請求項４】
パネルベースの表面側における表示部品および制御部品などの収納設置部を除いた面に形成した開口を凹部空間を設けたカバー体で覆い、前記開口から断熱材を漏出させてカバー体の凹部空間に充填させたことを特徴とする請求項１または２記載の冷蔵庫扉。
【請求項５】
パネルベースの表示部品および制御操作部品などの収納設置部の近傍におけるカバー体に電気部品の束線を導出させる断熱材側への貫通孔を設けたことを特徴とする請求項４記載の冷蔵庫扉。
【発明の詳細な説明】
【０００１】
【発明の属する技術分野】
本発明は、冷蔵庫扉に係り、特に前面に操作表示パネルあるいは化粧パネルなどを配置した扉構成に関する。
【０００２】
【従来の技術】
近年、冷蔵庫は食生活の多様化とともに収納量も大形化の傾向にあり、特に家庭用冷蔵庫においては、収納容積が４００リットルを越えるクラスが主流になっており、冷蔵庫本体の外形高さ寸法は１８０ｃｍ程度にもなっている。また幅寸法や奥行き寸法も使い勝手面での構造上、限界近くまで大きくなっている状況にあり、本体の幅寸法を大きくするために、回転による開扉方式であり最も大容量で扉開閉頻度の高い冷蔵室扉については、収納室前面を二枚の扉で幅方向に区分したいわゆる観音開き扉を採用した冷蔵庫も増えてきている。
【０００３】
また、貯蔵温度帯の多様化や付加機能による使い勝手面や外観意匠とも関連して、冷蔵庫本体の前面開口を閉塞する最も大きな面積を有する冷蔵室扉の前面を操作パネルとし、温度制御のための操作や運転状態の表示、あるいは扉の自動開扉のためのタッチパネルなどを配設した比較的大スペースのパネル部材を設けた冷蔵庫が多く商品化されている。
【０００４】
そして、この操作パネル部材の構成は、本出願人の出願に係る特願２００１−２１１４２２に示した概略構成の分解斜視図である図１４および縦断面図である図１５に示すように、冷蔵室扉本体を形成する扉面材（７１）の下端辺のパネル設置部分に切欠き部（７１ａ）を形成し、切欠き部（７１ａ）に係合する形状に成形したパネルベース（７６）を、その端縁に形成した溝部を切欠き端縁に係合させて切欠き部（７１ａ）部分を覆って配設し、このパネルベース（７６）と扉内板（７４）との間に断熱材（７５）を充填した後、パネルベース（７６）によって形成される扉前面の凹部に前記操作表示パネル（６８）やタッチパネル（７０）および動作関連部品をそれぞれ取り付ける構成であった。
【０００５】
【発明が解決しようとする課題】
しかしながら、上記構成における操作パネル（６７）は、冷蔵庫扉の一辺の全長に亙って配設されたものであり、新規な化粧パネルを、意匠的ニーズから一辺における両端部分を残して中央部に配置したり、さらに前記観音開き扉のように対向扉に面する縦の辺部に操作パネル（６７）や表示部を配置するような構成も考えられる。
【０００６】
このような場合は、切欠き部（７１ａ）に対してパネルベース（７６）を横方向から切欠きに組み込む構成にすると、パネルベースの両端縁における扉面材（７１ａ）との係合ができないため、断熱材の洩れを防止する構成が形成できなくなる。
【０００７】
これに対応する方法として洩れシール部材を配置する場合は、扉面材の裏面の断熱材側からパネルベース（７６）を組み込む方式方式となり、切欠き部（７１ａ）全体を覆う大きさの別部材が必要となる。また切欠き部（７１ａ）に対するパネルベース（７６）の位置決めが困難となり、扉表面の歪みによる外観意匠、断熱性能の確保、組み立て性に問題が発生する可能性が大きく、コストアップや組立作業の煩雑化を招いていた。
【０００８】
本発明は、上記点を考慮してなされたもので、扉を形成する扉面材の一辺に少なくとも一端部分を残して配設した新規な意匠の長尺の化粧パネルを、簡単な構成と少ない部品数で位置ずれすることなく確実に組み立て作業をおこなうことができ、断熱材の発泡充填に際しても漏洩を防止して充分な断熱性能を確保できる冷蔵庫を提供することを目的とする。
【０００９】
【課題を解決するための手段】
上記課題を解決するために、請求項１記載の発明による冷蔵庫扉は、扉本体を形成し一側辺に手掛け用凹部およびパネルベース取付用の切欠き部を形成した扉面材と、この扉面材の切欠き部に嵌合配置したパネルベースと、パネルベースの端部に係合し扉面材の切欠き部端縁に嵌合することでパネルベースを扉面材側へ押圧し隙間をシールするベースキャップと、パネルベースとの間に手掛け凹部や表示および制御部品の収納空間を形成して配設した操作パネルとからなり、庫内側と扉面材およびパネルベース、ベースキャップとの間に発泡断熱材を充填したことを特徴とし、また、請求項２記載の発明は、扉本体を形成し一方の対向辺の端面を前面から後方に折曲して側壁面を形成し他方の対向端面にはキャップを配設した扉面材と、この扉面材における前記一方の対向辺の後方への折曲側壁面を形成する一辺に設けた手掛け用凹部および切欠き部に嵌合配置したパネルベースと、パネルベースの長手方向の端部に係合し扉面材の切欠き端縁に嵌合することでパネルベースを扉面材側へ押圧し隙間をシールするベースキャップと、パネルベースとの間に断熱材を充填させる空間を設けて扉面材に隣接して配設した化粧パネルとからなり、庫内側と扉面材およびパネルベース、ベースキャップとの間に発泡断熱材を充填したことを特徴とするものである。
【００１０】
上記により、少ない部品数による組み立て構成であっても、ベースキャップによる確実な位置決めと結合強度および断熱材の洩れシール構成が得られ、新規な操作パネルや化粧パネルの表面意匠を有する冷蔵庫扉を得ることができる。
【００１１】
請求項３記載の発明は、パネルベースの前面に連なる側壁部に断熱材方向への突状リブを設け、ベースキャップにそのリブが挿通するスリットを設けて、パネルベースに対するベースキャップの位置決めをおこなったことを特徴とするものであり、この構成によって、パネルベースに対するベースキャップの長手方向の位置決めを確実におこなうことができ、さらに隙間をなくして断熱材の洩れをなくすことができる。
【００１２】
請求項４記載の発明は、パネルベースの表面側における表示部品および制御部品などの収納設置部を除いた面に形成した開口を凹部空間を設けたカバー体で覆い、前記開口から断熱材を漏出させてカバー体の凹部空間に充填させたことを特徴とするものであり、操作パネル上の表示部品や制御部品を収納した部分以外に生じる空隙を簡単な構造で断熱空間とすることができ、パネル表面への露付きの発生を防ぐことができる。
【００１３】
請求項５記載の発明は、パネルベースの表示部品および制御操作部品などの収納設置部の近傍におけるカバー体に電気部品の束線を導出させる断熱材側への貫通孔を設けたことを特徴とするものであり、この構成によって、束線の出口部を結線部の近傍へ自由に設定できるとともに、束線はパネルベースから離間した位置の断熱材中に埋設されるため、扉面材の表面に束線が位置することによる扉面の歪みなどの発生を低減することができる。
【００１４】
【発明の実施の形態】
以下、図面に基づき本発明の１実施形態について説明する。図１にその外観正面図を示す冷蔵庫本体（１）は、最上部に冷蔵食品を収納貯蔵する冷蔵室（２）を設け、その下部に、野菜室（３）や冷凍室（４）など所定の貯蔵温度に沿った貯蔵室を配置し、それぞれの前面開口には扉を配設している。
【００１５】
冷蔵室（２）は、本体背面に設けた図示しない冷却器で生成した冷気をファンによって室内に導入し冷却する構成であり、冷蔵庫における貯蔵室として最も大きな収納スペースを保有しているとともに、その前面開口には、開口を幅方向に区分し、本体両側に設けたヒンジによって開閉可能とした観音開き方式の左扉（５）と右扉（６）を設け、右扉（６）の左扉との対向辺部分には、温度設定操作や運転状態の表示部（８）や種々の制御操作部（９）、あるいは自動開扉のためのタッチパネル（１０）などを配設した操作パネル（７）を配置している。
【００１６】
以下、冷蔵室扉のうち右扉（６）の構成について説明する。右扉（６）は、図２に示すように、扉本体を形成し薄鋼板からなる扉面材（１１）の両側辺の端面を前面から後方にコ字状に折曲して側壁面を形成し、上下の端面には扉キャップ上（１２）と扉キャップ下（１３）を配設して箱状の扉本体を構成している。
【００１７】
扉面材（１１）の冷蔵室内側には、図示を省略するが、内方に貯蔵品を収納するポケットを形成する扉内板（１４）を配置して、これら各部材間に形成される空間部にウレタンフォームからなる断熱材（１５）を発泡充填することで扉本体を構成している。
【００１８】
前記扉面材（１１）における左扉（５）との対向辺側には、意匠上の理由から上下の端面を所定長残し、その中央部に上下に亙って長尺で矩形状の切欠き部（１１ａ）を形成している。
【００１９】
この切欠き部（１１ａ）には、図１に示したとおり、運転動作や冷却温度を表示する表示部（８）や種々の制御を設定する操作部（９）、および扉操作のためのタッチパネル（１０）を設けた操作パネル（７）を配置するものであり、切欠き端面には、長手方向に亙って中央部が断熱材側に窪むように大きな半径で湾曲させた凹み成形（１１ｂ）を設けており、その中央部より下方を、タッチ操作ではなく手で開扉する場合を考慮した引っ張り操作用の手掛けとするように段部を形成して端面側へのわずかな延出片（１１ｃ）を設けている。
【００２０】
そして、この切欠き部（１１ａ）にはパネルベース（１６）を配置する。パネルベース（１６）は合成樹脂を射出成形した長尺体からなり、図３に示すように、切欠き部（１１ａ）を覆って右扉（６）の左側端縁、さらに左側壁面を形成し、その端部は扉裏面に折曲して扉内板（１４）との係合片（１６ｆ）を形成している。
【００２１】
パネルベース（１６）の右側端縁は前記扉面材（１１）の切欠き部における長尺の湾曲させた凹み成形（１１ｂ）の形状に係合する係合溝（１６ａ）および手掛け凹部（１６ｂ）を一体に形成しており、長手方向の寸法は、前記切欠き部（１１ａ）と合致する長さとし、その上下の側壁には、扉面材の切欠き部（１１ａ）を外方から覆う小寸法の突出部（１６ｃ）を延出している。
【００２２】
パネルベース（１６）の上端部分はその断面を図１のＡ−Ａ線に沿う断面図である図４に示すように、ほぼＬ字状としているが、下方に下がるにしたがって前記扉面材の切欠き部（１１ａ）における断熱材側への凹み成形（１１ｂ）に合わせた形状としており、具体的には、図１におけるＢ−Ｂ線に沿う表示部（８）の断面である図５に示すように、扉表面に対して断熱材（１５）側に断熱層と分離したパネル部品の収納凹部（１６ｄ）が上下に亙って形成されているとともに、中央部から下方の側端縁には、図１のＣ−Ｃ断面である図６に示すように、前記切欠き部（１１ａ）形状に合致する手掛け凹部（１６ｂ）を形成しており、この手掛け凹部（１６ｂ）に対応する前記収納凹部（１６ｄ）の面には、複数の開口（１６ｅ）を形成している。
【００２３】
しかして、パネルベース（１６）の上下各端部にはベースキャップ上（１７）およびベースキャップ下（１８）を配置する。これらベースキャップ上および下（１７）（１８）は、パネルベース（１６）を扉面材（１１）の切欠き部（１１ａ）に対して所定の位置に固定するとともに、以後の工程である扉本体内への発泡断熱材（１５）の充填時における断熱材の外部への洩れ防止構成を形成するものである。
【００２４】
すなわち、パネルベース（１６）の扉面材（１１）への係止時は、扉面材の切欠き部（１１ａ）の表面に対して凹み成形（１１ｂ）の延出片（１１ｃ）にその係合溝（１６ａ）を嵌入するため側方から摺動させることになるが、射出成形によるパネルベース（１６）の構成上、その上下端縁においては、扉面材（１１）とパネルベース（１６）とは重合部分を形成できないため、断熱材発泡工程におけるシールが困難となる。
【００２５】
これに対して、ベースキャップ上および下（１７）（１８）は、扉面材の切欠き部（１１ａ）に係合溝（１６ａ）を係止したパネルベース（１６）に固着することで、縦断面構造を図７に示すように、切欠き部（１１ａ）との間に重合部（１９）を形成するものであり、この重合部（１９）の隙間抵抗によって、発泡時の発泡断熱材（１５）が収納凹部内や外方に洩れ出ることを防止するシール作用をおこなうものである。勿論シールを確実におこなうために扉面材（１１）とベースキャップ（１７）（１８）との間をテープなどでシールしてもよい。
【００２６】
ベースキャップ上（１７）は、パネルベース（１６）の上端縁の内面形状に沿ってほぼＬ字状をなしてパネルベース（１６）の前記扉内側（１４）との係合片（１６ｆ）の内側に係止し、図７あるいは斜視図である図８に示されているように、下方はパネルベース（１６）から突出形成したリブ（１６ｇ）に係止させるとともに、パネルベース（１６）の側壁部から突出させた位置決め突片（１６ｈ）に対向面に形成したスリット（１７ａ）を係止させて上下方向の位置決めをおこなうことで、扉面材（１１）とパネルベース（１６）とは強固に、且つ隙間なく位置決め固定することができる。
【００２７】
上記ベースキャップ上（１７）は、パネル外観上隙なく、また、断熱材の洩れがないように、パネルベース（１６）の所定位置にずれることなく設置させる必要がある。そしてその取り付け時には寸法的余裕のない前記係合片（１６ｆ）やリブ（１６ｇ）と係合させて設置するため、取り付け空間内で回転させながら取り付けるようにしているが、回転軌跡を考慮して、前記パネルベースの位置決め突片（１６ｈ）に対するスリット（１７ａ）の幅寸法を突片の幅より長目に形成している。これにより、ベースキャップ上（１７）は強固な固定とともに、上下方向の位置決めを確実におこなうことができる。
【００２８】
なお、扉面材（１１）へのパネルベース（１６）の配設後、ベースキャップ上（１７）の断熱材側から扉表面方向へのネジ固定（２０）により、パネルベース（１６）を介して扉面材（１１）を扉の表面方向に押しつける構成となり、各パーツは製造工程における扉部品としての移動時に容易に分解することなく、断熱材の発泡工程ラインに搬出することができる。
【００２９】
ベースキャップ下（１８）のパネルベース（１６）への取り付けについても基本的にはベースキャップ上（１７）の構成と同一であるが、パネルベース下方には開扉操作ユニット（２１）のタッチパネル（１０）を配設しているため、図７および図１のＤ−Ｄ線に沿う断面である図９に示すように、上方の場合と異なって、ベースキャップ下（１８）を取り付けるパネルベース（１６）の裏面部分には開扉操作ユニット（２１）の収納部（２２）を形成する凸部が位置し、取着空間としては狭小となっている。
【００３０】
上記において、パネルベース（１６）の下端縁の内面形状に沿って基本的にはほぼＬ字状をなしているベースキャップ下（１８）は、パネルベース（１６）の前記扉内側との係合片（１６ｆ）に形成した係止爪（１６ｊ）に係止し、上方はパネルベース（１６）から突出形成した収納部（２２）を形成している壁部（１６ｋ）に係止させるとともに、パネルベース（１６）の側壁部から突出させた位置決め突片（１６ｈ）に対向面に形成したスリット（１８ａ）を係止させて上下方向の位置決めをおこない、さらにパネルベースの収納部（２２）側の面に穿設した係止孔（１６ｍ）に係止爪（１８ｂ）を嵌入し、ネジ止めにより固定している。この構成により、扉面材（１１）に対してベースキャップ下（１８）は、種々の表示あるいは制御操作パネルやタッチパネルを組み込んだパネルベース（１６）を上下左右および前後方向に亙って充分に支えることができ、さらに強固に位置決め固定するものである。
【００３１】
前記パネルベース（１６）の扉表面側の収納凹部（１６ｄ）には、図５や図７に示すように、冷蔵庫の運転動作表示のための液晶板（２３）や導光板、光源ランプやプリント配線基板（２４）を配置した表示部（８）、制御操作用の押釦スイッチを設けた操作部（９）を上方に配置し、下方には、右扉（６）のパネルの上方に設けた扉開放ユニット（２５）のソレノイドに連動しており、使用者の押圧タッチ操作により信号動作部であるマイクロスイッチを付勢してソレノイドを励磁しピンを突出させて扉を開放させるタッチパネル（１０）および開放機構部品からなる開扉操作ユニット（２１）が固着されており、前記各部品が配置されていない空間部に対応するベース面には、仕切桟で区分した複数の開口（１６ｅ）を設けている。
【００３２】
大形の冷蔵庫における最も大きな貯蔵室である冷蔵室（２）の新規な扉表面デザインとして、上記のように扉面材（１１）の端部の上下に亙って操作パネル（７）を配設することにより意匠効果を向上させることができるが、この構成の場合、表示や操作部品が配置されない範囲は単なる空隙部となって断熱効果を有しないばかりでなく、空隙内面やパネル表面に露付きが発生する可能性がある。
【００３３】
この範囲を空隙とすることなく断熱空間とすることが望まれるが、断熱材の充填空間とするには、パネルベース（１６）の構成上、射出成形による一体成形は困難であり、本発明においては、開口（１６ｅ）を設けるとともに、この開口の収納凹部（１６ｄ）側に、開口を覆って収納凹部に沿う形状とし上端が扉面材（１１）の表面の近傍に至るカバー体（２７）を配設している。
【００３４】
カバー体（２７）は、その斜視図である図１０、あるいは図６に示すように、箱状をなし、周囲壁を開口（１６ｅ）の周囲に立設した枠状リブ（１６ｎ）の外周面に嵌合させるとともに、長手方向に数カ所に亙って突設した係止爪（２７ａ）を開口（１６ｅ）側に設けた係止孔（１６ｐ）に係合させることで、パネルベース（１６）に固着し、箱状の内部空間に扉本体側からの断熱材（１５）を流入し充填させ、断熱部を形成するものである。
【００３５】
また、カバー体（２７）の上下端部には、開口（１６ｅ）を介して断熱材（１５）側と連通する小開口（２７ｂ）を設けている。この小開口（２７ｂ）のうち上部の開口は、パネルベース（１６）上の上方に配置した表示部（８）や操作部（９）に対応し、下部の開口は、下方の扉開放用のタッチパネル（１０）の近傍に設けられており、パネルベース（１６）を裏面からみた図１１に示すように、操作基板や扉開放スイッチからの束線（２８）をそれぞれの小開口（２７ｂ）を通して断熱材側へ引き出し、扉ヒンジ部を介して冷蔵庫本体側と接続する。
【００３６】
このとき、小開口（２７ｂ）の周囲には鍔部（２７ｃ）を形成し、束線（２８）を通した後にこの鍔部（２７ｃ）を利用してシール材（２９）を圧入充填することで、シールし、表示部（８）や操作部（９）他の装置が収納されている収納凹部（１６ｄ）内への断熱材の侵入を防止するものであり、小開口の鍔部（２７ｃ）は扉内側（１４）の近傍に開口しているため、導出した束線（２８）はパネルベース（１６）の裏面に沿って扉内板近傍を這う形で処理することができ、束線（２８）が扉面材（１１）に接触した状態で断熱材を発泡することによる扉表面の歪みの発生を防ぐことができる。
【００３７】
操作パネル（７）は、前記パネルベース（１６）に取り付けた前記表示部（８）や操作部（９）の表面を覆うとともに、タッチパネル（１０）のための開口を設けており、周縁に設けた係合段部（７ａ）や爪や凹部との係合によって、パネルベース（１６）と強固に嵌合して固定されており、右扉（６）の反枢支側の表面および側壁を構成する化粧パネルとして作用している。
【００３８】
そして、扉面材（１１）の上下に亙って中央部が大半径で湾曲して凹む手掛け用成形を設けた切欠き部（１１ａ）と合わせて扉面材（１１）の一側端面を構成し、その上下端は扉面材（１１）の面を残すことで、長尺となる冷蔵室扉の化粧パネルとして重い印象を与えずにゴージャスで使い勝手の良い斬新な意匠を有する冷蔵庫の扉を得ることができるものである。
【００３９】
次に上記構成の組立手順について説明する。扉面材（１１）の上下端に扉キャップ上（１２）および下（１３）を設けるとともに、開口（１６ｅ）にカバー体（２７）を取り付けたパネルベース（１６）を、扉面材（１１）の側方から切欠き部（１１ａ）の方へ摺動させ、切欠き部の凹み成形（１１ｂ）の端縁にその係合溝（１６ａ）を嵌合して、扉面材（１１）に組み付ける。
【００４０】
次にパネルベース（１６）の裏面側からベースキャップ上（１７）および下（１８）をパネルベース（１６）の上下端縁に位置決めとともに係合させて扉面材（１１）の切欠き端縁を挟み込んでネジ固定（２０）により固着する。
【００４１】
このネジ固定により、ベースキャップ（１７）（１８）はパネルベース（１６）側に押圧され、この押圧によって扉面材（１１）も扉表面側に押圧されるものであり、それぞれが隙間なく強固に位置決め固定される。
【００４２】
このとき、パネルベース（１６）の表面には、表示部（８）、操作部（９）、および開扉操作ユニットであるタッチパネル（１０）が取着されており、それぞれの電気束線（２８）をカバー体（２７）の小開口（２７ｂ）から断熱材の充填空間側に引き出し、小開口の鍔部（２７ｃ）にはシール材（２９）を圧入してシールする。
【００４３】
小開口（２７ｂ）から抽出した束線（２８）は、パネルベース（１６）の裏面側を這う形で仮止めされ、その先端は扉キャップ上（１２）のヒンジ穴から外部に引き出された状態で、断熱空間にウレタンフォームが発泡充填されるものであり、束線の端部は、後に扉内板（１４）やガスケットが固着されて冷蔵室扉（６）として本体への取り付け時に本体電源側と結線される。
【００４４】
したがって、束線（２８）は扉面材（１１）の裏面に当接することなく、断熱材中に埋設されることになり、当接によって扉面材の表面における歪みの発生などを防止することができる。
【００４５】
なお、前記表示部（８）や操作部（９）他の装置部品は、断熱材（１５）を発泡充填した後にパネルベース（１６）の表面に各々取り付けるようにしてもよい。そして、操作パネル（７）は、断熱材（１５）の充填固化後に、パネルベース（１６）に嵌合して固定されるものであり、この固定により断熱扉としての組み立ては完了する。
【００４６】
次に、本発明の他の実施形態について説明する。上記実施例構成では、化粧パネルとして、表示部や操作部を有する操作パネル（７）について説明したが、本発明は、操作パネルでなくとも扉面材の一側端面に意匠部品としての化粧パネルを配置するようにした冷蔵庫扉にも適用できるものであり、その実施例を前記実施例で説明した観音開き式扉の右扉に隣接する左扉（５）によって説明する。
【００４７】
図１２に示すように、冷蔵庫扉（５）の一側に化粧パネル（４７）を配置する場合、意匠的効果をはかるため、上下の端面に扉キャップ上（５２）と扉キャップ下（５３）を配設した扉面材（５１）の一側に、前記実施例と同様に、上方の端面を所定長残すとともに、その下方に下端に至る長尺で矩形状の切欠き部（５１ａ）を形成している。化粧パネル（４７）はこの切欠き部（５１ａ）に配置するものであり、切欠き端面は長手方向に亙って中央部が断熱材側に窪むように大きな半径で湾曲させた凹み成形（５１ｂ）を設けている。
【００４８】
切欠き部（５１ａ）にはパネルベース（５６）を配置するものであり、前記実施例と同様に、パネルベースは合成樹脂を射出成形した長尺体からなり、切欠き部（５１ａ）を覆って左扉（５）の右側端縁、さらに右側壁面を形成し、その端部は扉裏面に折曲して扉内板（５４）との係合片を形成しているとともに、パネルベース（５６）の上端部にはベースキャップ上を配置している。
【００４９】
パネルベース（５６）の左側端縁は、図１３に示すように、扉面材の切欠き部（５１ａ）における断熱材側への凹み成形（５１ｂ）に合わせた形状として係合溝（５６ａ）および手掛け凹部（５６ｂ）を形成し、この手掛け凹部（５６ｂ）を含むパネルベース（５６）の左右壁間を連結する板面には、複数の開口（５６ｅ）を形成して扉本体側の断熱空間（５５）と連通するようにしている。
【００５０】
しかして、パネルベース（５６）の扉表面側の開口には、化粧パネル（４７）が前記実施例と同様の係合段部や爪と凹部との係合によって強固に嵌合して固定されており、パネルベース（５６）とともに左扉（５）の反枢支側の表面および側壁を構成している。
【００５１】
以上の構成により、扉面材（５１）、パネルベース（５６）とベースキャップ上、上下の扉キャップ（５２）（５３）、扉内板（５４）および化粧パネル（４７）を結合した空間内部は断熱空間となるものであり、空間内へのウレタンフォーム断熱材（５５）の注入充填により固化した後は、断熱材の接着力によって各部品が隙間を生じることなく強固に結合された剛性のある冷蔵庫扉を得ることができる。
【００５２】
なお、以上の説明においては、観音開き方式の冷蔵室扉の例で説明したが、これに限るものでなく他の貯蔵室扉や引き出し式扉に適用しても良いことは勿論であり、化粧パネルについても上下方向への配設に限るものではなく、左右方向への配設でもよい。
【００５３】
【発明の効果】
以上説明したように、本発明によれば、少ない部品数による組み立て構成であっても、ベースキャップによる確実な位置決めと結合強度および断熱材の洩れシール構成が得られ、新規な操作パネルや化粧パネルの表面意匠を有する冷蔵庫扉を得ることができる。
【図面の簡単な説明】
【図１】本発明の１実施形態を示す冷蔵庫の外観正面図である。
【図２】図１に示す冷蔵室右扉のパネルベース部を示す分解斜視図である。
【図３】図２のパネルベースを組み込んだ状態を示す分解斜視図である。
【図４】図１のＡ−Ａ線に沿う右扉の断面図である。
【図５】図１のＢ−Ｂ線に沿う右扉の断面図である。
【図６】図１のＣ−Ｃ線に沿う右扉の断面図である。
【図７】図１におけるパネルベース部分の縦断面図である。
【図８】図４におけるパネルベース上部の斜視図である。
【図９】図１のＤ−Ｄ線に沿う右扉の断面図である。
【図１０】図２のカバー体を示す斜視図である。
【図１１】図３のパネルベースを裏面からみた斜視図である。
【図１２】他の実施形態を示す冷蔵庫左扉の分解斜視図の縦断面図である。
【図１３】図１２のパネルベース部の横断面図である。
【図１４】本発明の従来構成を示す冷蔵庫扉の分解斜視図である。
【図１５】図１４におけるパネルベース部の縦断面図である。
【符号の説明】
１…冷蔵庫本体　　　　５…冷蔵室左扉　　　６…冷蔵室扉
７…操作パネル　　　　７ａ…係合段部　　　８…表示部
９…操作部　　　　　　１０…タッチパネル　　１１、５１…扉面材
１１ａ、５１ａ…切欠き部　　　　　１１ｂ、５１ｂ…凹み成形
１１ｃ…延出片　　　１２、５２…扉キャップ上　　１３、５３…扉キャップ下
１４、５４…扉内板　　　　１５、５５…断熱材　　　１６、５６…パネルベース
１６ａ、５６ａ…係合溝　　１６ｂ、５６ｂ…手掛け凹部　　１６ｃ…小凸起
１６ｄ…収納凹部　　　　１６ｅ、５６ｅ…開口　　　１６ｆ…係合片
１６ｇ…リブ　　　　　　１６ｈ…位置決め突片　　１６ｊ…係止爪
１６ｋ…壁部　　　　　　１６ｍ…係止孔　　　　　１６ｎ…枠状リブ
１７…ベースキャップ上　　１７ａ…スリット　　１８…ベースキャップ下
１９…重合部　　　　　　２０…ネジ固定部　　　２１…開扉操作ユニット
２２…収納部　　　　　　２３…液晶板　　　　　２４…プリント配線基板
２５…扉開放ユニット　　２７…カバー体　　　　２７ａ…係止爪
２７ｂ…小開口　　　　　２７ｃ…鍔部　　　　　２８…束線
２９…シール材　　　　　４７…化粧パネル
【図１】
2004116788.tif 000003
【図２】
2004116788.tif 000004
【図３】
2004116788.tif 000005
【図４】
2004116788.tif 000006
【図５】
2004116788.tif 000007
【図６】
2004116788.tif 000008
【図７】
2004116788.tif 000009
【図８】
2004116788.tif 000010
【図９】
2004116788.tif 000011
【図１０】
2004116788.tif 000012
【図１１】
2004116788.tif 000013
【図１２】
2004116788.tif 000014
【図１３】
2004116788.tif 000015
【図１４】
2004116788.tif 000016
【図１５】
2004116788.tif 000017